(57)【特許請求の範囲】
【請求項１】
収容凹部、及び該収容凹部の開口縁から外方に向けて延びるフランジ部を有するトレー体と、
前記フランジ部に貼着され、前記収容凹部を閉塞して該収容凹部との間に収容室を形成するフィルム材と、を備え、
前記フランジ部には、前記フィルム材との間を通して前記収容室の内部と外部とを連通させる通路が形成されるとともに、該通路を前記収容室の内部と外部とに分断させるように折り曲げ可能な折り曲げ部が形成され、
前記収容凹部は、底壁部、及び該底壁部の外周縁から立設された周壁部を備え、
前記底壁部は、前記周壁部との接続部分を起点にして、前記周壁部の内側と外側との間で反転変形可能に構成されていることを特徴とする呼気捕集容器。
【請求項２】
前記フランジ部は、前記折り曲げ部を折り曲げて前記通路を分断させた状態に保持する係合部を有していることを特徴とする請求項１記載の呼気捕集容器。
【発明の詳細な説明】
【技術分野】
【０００１】
本発明は、呼気捕集容器に関する。
【背景技術】
【０００２】
従来から、例えば病気や、飲酒等の呼気検査において、対象者から吹き込まれる呼気を捕集するための呼気捕集容器として、例えば、下記特許文献１に示されるように、吹き込まれた呼気を収容（捕集）する袋体と、この袋体に形成された口部に気密に取り付けられるとともに、袋体内に呼気を吹き込むための剛性の管状口部と、管状口部に着脱可能に装着されるキャップと、を備える構成が知られている。
【先行技術文献】
【特許文献】
【０００３】
【特許文献１】特開平９−２１５６７５号公報
【発明の概要】
【発明が解決しようとする課題】
【０００４】
しかしながら、上述した従来の呼気捕集容器では、構成を簡素化した上で、吹き込まれた呼気の流出を容易、かつ確実に防ぐことについて改善の余地があった。
【０００５】
そこで、本発明は、上述した事情に鑑みてなされたものであって、その目的は、構成の簡素化を図った上で、収容室内に吹き込まれた呼気の流出を容易、かつ確実に防ぐことができる呼気捕集容器を提供することである。
【課題を解決するための手段】
【０００６】
上記課題を解決するために、本発明は以下の手段を提案している。
本発明に係る呼気捕集容器は、収容凹部、及び該収容凹部の開口縁から外方に向けて延びるフランジ部を有するトレー体と、前記フランジ部に貼着され、前記収容凹部を閉塞して該収容凹部との間に収容室を形成するフィルム材と、を備え、前記フランジ部には、前記フィルム材との間を通して前記収容室の内部と外部とを連通させる通路が形成されるとともに、該通路を前記収容室の内部と外部とに分断させるように折り曲げ可能な折り曲げ部が形成され、前記収容凹部は、底壁部、及び該底壁部の外周縁から立設された周壁部を備え、前記底壁部は、前記周壁部との接続部分を起点にして、前記周壁部の内側と外側との間で反転変形可能に構成されていることを特徴としている。
【０００７】
このような特徴により、折り曲げ部を起点に通路を折り曲げることで、収容室の内部と外部とを分断させることができるので、キャップ等の別体の封止手段を用いることがない。そのため、構成を簡素化した上で、吹き込まれた呼気の流出を容易、かつ確実に防ぐことができる。
また、通路を通って収容室内に呼気が捕集されると、収容室内の圧力が増加して底壁部が外側へ押圧される。すると、底壁部が、周壁部との接続部分を起点にして周壁部の内側から外側に向けて反転変形することになる。これにより、収容室内の容積を増大して、収容室内により多くの呼気を捕集できる。そして、底壁部を反転変形可能に構成することで、使用前後を一目で速やかに判断できる。
しかも、呼気捕集容器の未使用時においては、底壁部が周壁部の内側に位置するため、使用時に比べて深さ方向での薄型化を図ることができる。そのため、コンパクトに保管できる。
【０００８】
また、上記本発明の呼気捕集容器において、前記フランジ部は、前記折り曲げ部を折り曲げて前記通路を分断させた状態に保持する係合部を有していることを特徴としている。
【０００９】
この場合には、係合部により通路を分断させた状態に保持することで、収容室の内部の密封状態を確実に維持することができる。
【発明の効果】
【００１２】
本発明に係る呼気捕集容器によれば、構成の簡素化を図った上で、収容室内に吹き込まれた呼気の流出を容易、かつ確実に防ぐことができる。
【図面の簡単な説明】
【００１３】
【図１】本発明の実施形態における呼気捕集容器の平面図である。
【図２】呼気捕集容器の側面図である。
【図３】図１のＡ−Ａ線に沿う断面図である。
【図４】図２に相当する側面図であって、呼気捕集容器の作用を説明するための図である。
【図５】呼気捕集容器の他の構成を示す平面図である。
【発明を実施するための形態】
【００１４】
以下、図面を参照し、本発明の実施形態に係るボトルを説明する。
本実施形態に係る呼気捕集容器１は、図１〜図３に示すように、平面視長方形状のものであり、吹き込まれる呼気を収容可能な収容凹部１１を有するトレー体１２と、収容凹部１１を閉塞して、収容凹部１１との間に収容室１３を形成するフィルム材１４と、が厚さ方向に貼着されて構成されている。以下、トレー体１２及びフィルム材１４の厚さ方向に沿うトレー体１２側を下側、フィルム材１４側を上側といい、呼気捕集容器１の平面視において長辺方向を長手方向、長手方向に直交する短辺方向を短手方向という。
【００１５】
トレー体１２は、シート成形や射出成形等により形成されており、長手方向及び短手方向のほぼ全域に亘って厚さが一様に形成されている。トレー体１２は、底壁部２１、及び底壁部２１を全周に亘って取り囲むように立設された角筒状の周壁部２２を有する上述した収容凹部１１と、収容凹部１１の開口縁（上端縁）から外方に向けて延びるフランジ部２３と、を備えている。
【００１６】
底壁部２１は、長辺部分が周壁部２２の下端縁から短手方向の内側に向かうに従い、上方に向けて延び、かつ短辺部分が周壁部２２の下端縁から長手方向の内側に向かうに従い、上方に向けて延びる縦断面視台形状に形成されている。具体的に、底壁部２１は、周壁部２２の下端縁から長手方向及び短手方向の内側に向かうに従い、上方に向けて傾斜する傾斜部２５と、傾斜部２５の内周縁に連設された平坦部２４と、を備えている。
【００１７】
平坦部２４は、長手方向及び短手方向に沿う断面視形状がともに平坦面に形成され、周壁部２２の内側でフィルム材１４に対向している。
傾斜部２５は、平坦部２４の外周縁と周壁部２２の下端縁とを接続している。傾斜部２５は平坦部２４を下方に向けて移動させるように、傾斜部２５と周壁部２２との接続部分を中心に回動可能となっている。なお、前記接続部分を薄肉部に形成してもよい。すなわち、傾斜部２５は、平坦部２４が周壁部２２の下端縁よりも上方に位置する未使用位置（図３中実線）と、周壁部２２の下端縁よりも下方に位置する使用位置（図３中鎖線）と、の間で底壁部２１を反転変形させるようになっている。
【００１８】
フィルム材１４は、フランジ部２３の上面に貼着されて収容凹部１１を閉塞する部材であり、平面視の外形がトレー体１２と同形同大に形成されている。そして、フィルム材１４と収容凹部１１とで囲まれた空間が上述した収容室１３を構成している。
【００１９】
上述したフランジ部２３は、平面視矩形枠状に形成されており、収容凹部１１に対して長手方向の一端側は、他端側に比べて長く形成されている。フランジ部２３における長手方向の一端側には、下方に向けて窪む凹部３１が形成されている。この凹部３１は、短手方向に沿う縦断面視において、厚さ方向の長さに比べて短手方向の長さの方が長い扁平形状になっている。また、凹部３１は、長手方向において、一端側がフランジ部２３における長手方向の一端側の端縁まで延び、他端側が収容凹部１１内に連通している。
【００２０】
そして、トレー体１２における凹部３１と、フィルム材１４との間は、両者間を通して上述した収容室１３の内部と外部とを連通させる通路３２を構成している。この場合、通路３２における長手方向の一端側の開口部は、収容室１３内に呼気を吹き込むための吹き込み口部３２ａを構成し、長手方向の他端側の開口部は通路３２内を流通する呼気を収容室１３内に導入させる導入口部３２ｂを構成している。なお、フランジ部２３（及びフィルム材１４）における長手方向の一端側を、短手方向の両側から内側に向けて押圧することで、凹部３１及びフィルム材１４がそれぞれの短手方向の中央部を起点にして互いに離間する方向に屈曲変形するようになっている。
なお、前記凹部３１を設けずに、フランジ部２３とフィルム材１４との非接着部を、一端側がフランジ部２３における長手方向の一端側の端縁まで延び、他端側が収容凹部１１内に連通するように形成し、呼気を吹き込んだ際や上述のようにフランジ部２３を短手方向の両側から内側に向けて押圧した際等に、前記通路３２が形成されるように構成してもよい。この場合、不使用状態においてはフィルム材１４がフランジ部２３に密着して前記通路３２を閉塞しているため、より密封性を高めることができる。
【００２１】
また、フランジ部２３（及びフィルム材１４）における長手方向の一端側、具体的に通路３２の長手方向の中央部に相当する位置には、通路３２を収容室１３の内部と外部とに分断させるように折り曲げ可能な折り曲げ部３４が形成されている。この折り曲げ部３４は、フランジ部２３（及びフィルム材１４）における通路３２の長手方向の中央部に相当する位置において、短手方向の幅が両側から縮小するように形成されたくびれ部３３と、くびれ部３３に形成され、フランジ部２３の折り曲げ動作を許容する図示しない折れ線部と、を有している。
【００２２】
そして、フランジ部２３（及びフィルム材１４）は、くびれ部３３（折れ線部）を起点にして短手方向に沿って折り曲げ可能に構成されている。この場合、フランジ部２３におけるくびれ部３３に対して長手方向の一端側が、長手方向の他端側に厚さ方向で重なるようにフランジ部２３を折り曲げることで、上述した通路３２が封止されるようになっている（折り曲げ状態）。
【００２３】
また、フランジ部２３（及びフィルム材１４）におけるくびれ部３３に対して長手方向の一端側には、一対の係合凸部（係合部）４１が形成されている。これら係合凸部４１は、通路３２を間に挟んで短手方向の両側に配置されており、上方に向けて突出している。
一方、フランジ部２３におけるくびれ部３３に対して長手方向の他端側には、上述した一対の係合凸部４１に係合可能な一対の係合凹部（係合部）４２が形成されている。これら係合凹部４２は、通路３２を間に挟んで短手方向の両側に配置されており、下方に向けて突出している。各係合凹部４２は、くびれ部３３を間に挟んで係合凸部４１と反対側に配置されるとともに、その内面形状が係合凸部４１の外面形状と同等に形成されている。そのため、フランジ部２３の折り曲げ状態で、係合凸部４１が係合凹部４２内に嵌まり込んで係合されることで、フランジ部２３の折り曲げ状態が保持されるようになっている。
【００２４】
次に、上述した呼気捕集容器１の使用方法について説明する。
図１〜図３に示すように、まず対象者は、フランジ部２３（及びフィルム材１４）における長手方向の一端側を、短手方向の両側から内側に向けて押圧する。すると、凹部３１及びフィルム材１４がそれぞれの短手方向の中央部を起点にして互いに離間する方向に屈曲変形する。これにより、通路３２における厚さ方向の長さが拡大されるため、呼気が吹き込み易くなる。
【００２５】
この状態で、吹き込み口部３２ａから収容室１３内に向けて呼気を吹き込むと、吹き込まれた呼気は通路３２内を流通し、導入口部３２ｂから収容室１３内に流入する。そして、収容室１３内に流入した呼気により収容室１３内の圧力が増加すると、底壁部２１が下方に向けて押圧されることになる。すると、底壁部２１における傾斜部２５が、周壁部２２との接続部分を起点にして下方に向けて回動することで、底壁部２１が反転変形する（図２，３中の二点鎖線）。すなわち、収容室１３内の圧力増加に伴って、底壁部２１の平坦部２４が周壁部２２の下端縁よりも下方に位置する使用位置まで移動することになる。これにより、収容室１３内の容積を増大させ、収容室１３内により多くの呼気を捕集できる。
【００２６】
図４に示すように、呼気を吹き込んだ後、フランジ部２３におけるくびれ部３３に対して長手方向の一端側を、折り曲げ部３４を起点にして折り返す（図４中矢印参照）。すると、通路３２が厚さ方向に沿って潰れるように変形することで、フィルム材１４と凹部３１の下面とが接触し、収容室１３の内部と外部とに分断される。この際、フランジ部２３におけるくびれ部３３に対して長手方向の一端側を、長手方向の他端側に厚さ方向で重なるように折り曲げ、係合凸部４１を係合凹部４２内に嵌め込むことで、フランジ部２３の折り曲げ状態を保持できるようになっている。
【００２７】
したがって、本実施形態によれば、フランジ部２３におけるくびれ部３３に対して長手方向の一端側を、くびれ部３３（折り曲げ部３４）を起点にして折り返すだけで、通路３２を封止できるため、キャップ等の別体の封止手段を用いることがない。そのため、構成の簡素化を図った上で、収容室１３内に吹き込まれた呼気の流出を容易、かつ確実に防ぐことができる。
また、係合凸部４１を係合凹部４２に係合させることで、フランジ部２３の折り曲げ状態を保持できるため、収容室１３の内部の密封状態を確実に維持することができる。さらに、これら係合凸部４１及び係合凹部４２は、フランジ部２３に一体的に形成されているため、構成の複雑化を抑制できる。
【００２８】
さらに、本実施形態では、収容室１３内の圧力増加に伴って、底壁部２１が反転変形可能に構成されているため、呼気捕集容器１の使用前後を一目で速やかに判断できる。さらに、呼気捕集容器１の未使用時においては、底壁部２１が周壁部２２の内側に位置するため、使用時に比べて薄型化を図ることができる。そのため、コンパクトに保管できる。
【００２９】
以上、本発明の実施形態について図面を参照して詳述したが、具体的な構成はこの実施形態に限られるものではなく、本発明の要旨を逸脱しない範囲の設計変更等も含まれる。
【００３０】
また、上述した実施形態では、くびれ部３３を起点にしてフランジ部２３を一回折り返す場合について説明したが、複数回折り返す構成にしても構わない。例えば、図５に示すように、上述した実施形態において係合凸部４１が形成されたフランジ部２３（及びフィルム材１４）の長手方向の一端側から、折り曲げ部５１を介して長手方向の一端側へ吹き込み部５２を延設してもよい。吹き込み部５２は、折り返し部５１に対して長手方向の他端側に比べて短手方向の長さが狭く形成されており、使用者が吹き込み部５２をくわえ込み易くなっている。また、吹き込み部５２及び折り曲げ部５１における長手方向の長さは、折り曲げ部３４，５１間の長さと等しくなっており、２つの折り曲げ部３４，５１を介して巻き込むように通路３２を折り畳むことができるようになっている。そのため、より確実な封止が可能となる。
また、くびれ部３３は設けなくても構わない。
【００３１】
また、上述した実施形態では、平坦部２４を平坦面、傾斜部２５を傾斜面に形成する場合について説明したが、これに限らず、平坦部２４や傾斜部２５を湾曲面に形成する等してもよい。
また、収容凹部１１は一つに限らず、複数設けても構わない。
【００３２】
その他、本発明の趣旨を逸脱しない範囲で、上述した実施形態における構成要素を周知の構成要素に置き換えることは適宜可能である。
【符号の説明】
【００３３】
１…呼気捕集容器
１１…収容凹部
１２…トレー体
１３…収容室
１４…フィルム材
２１…底壁部
２２…周壁部
２３…フランジ部
３２…通路
３４…折り曲げ部
４１…係合凸部（係合部）
４２…係合凹部（係合部）
【図１】
0005639908.tif 000002
【図２】
0005639908.tif 000003
【図３】
0005639908.tif 000004
【図４】
0005639908.tif 000005
【図５】
0005639908.tif 000006